(57)【要約】【課題】  ベゼルの位置合わせが容易で、かつ、位置合わせされたベゼルが不用意に回転されないようにできる時計を提供することにある。【解決手段】  携帯時計10は、胴16、円環状のベゼル31、クリック部材39、コイルばね37、及びロック部材42を具備する。胴16に、上方及び外周面に開放する円環状のベゼル配置溝22と、この溝の底面22aに開放して上下方向に延びる収容孔25を設ける。ベゼル31を配置溝22に嵌合して胴に対し時計回り及び反時計回りの双方向に回転可能に配置する。底面22aに対向するベゼル31の裏面に回転の方向に並んだ複数の凹凸からなる係合部33に係脱するクリック部材39を、収容孔25に上下動自在に収容する。収容孔25にクリック部材39を係合部33に押付けるばね37とロック部材42を収容する。ロック部材42は、胴16の外部からの操作で、係合部33にクリック部材39が係合した状態にこの部材39を保持する保持位置とクリック部材39のクリック動作を許す退避位置にわたって移動する。【選択図】      図３
2008076067.tif 000002
【特許請求の範囲】
【請求項１】
上方及び外周面に開放する円環状のベゼル配置溝、及びこの配置溝の底面に開放して上下方向に延びる収容孔が形成された胴と、
前記ベゼル配置溝に嵌合されて前記胴に対し時計回り及び反時計回りの双方向に回転可能に配置されるとともに、前記ベゼル配置溝の底面に対向する裏面に前記回転の方向に並んだ複数の凹凸からなる係合部が形成された円環状のベゼルと、
前記収容孔に上下動自在に収容されて前記係合部に係脱するクリック部材と、
前記収容孔に収容されて前記クリック部材を前記係合部に押付ける付勢体と、
前記胴の外部からの操作で上下動可能に前記収容孔に収容され、前記係合部に前記クリック部材が係合した状態に前記クリック部材を保持する保持位置、及びこの保持を解除して前記クリック部材のクリック動作を許す退避位置にわたって移動されるロック部材と、
を具備した時計。
【請求項２】
前記ロック部材を前記保持位置と前記退避位置にわたって移動させる手動操作式の操作部材を前記ロック部材に接続し、この操作部材を前記胴の外部から操作可能に設けた請求項１に記載の時計。
【請求項３】
前記収容孔を大径孔部とこの下方に連続した小径孔部とで形成し、前記胴の外周面に開放する凹溝を前記小径孔部と直交して前記胴に設け、
中央部に雌ねじ部を有した円板状のダイヤルで前記操作部材を形成し、この操作部材の上下方向の移動を前記凹溝で規制するとともに前記胴の外部に前記操作部材の一部を突出させて前記凹溝に前記操作部材を回転可能に配置し、
中央角孔を有した回り止め部材を前記大径孔部と小径孔部との境をなした段部に固定して前記大径孔部に収容し、前記ロック部材を、前記中央角孔を貫通して前記クリック部材に接離する角軸部と、この角軸部の下側に連続されて前記雌ねじ部に噛み合う雄ねじ部を有したねじ軸部とで形成した請求項２に記載の時計。
【請求項４】
前記クリック部材を、前記収容孔にガイドされる外周が円形の摺動部と、この摺動部の上側に一体に形成され係合部の凹みに嵌まる半球状部とで形成した請求項１から３の内のいずれか一項に記載の時計。
【請求項５】
前記退避位置に前記ロック部材が移動された時にこのロック部材のそれ以上の移動を阻止するストッパーを前記胴に設けた請求項１から４の内のいずれか一項に記載の時計。
【発明の詳細な説明】
【技術分野】
【０００１】
本発明は、腕時計や懐中時計等のように携帯して使用される時計に係り、特に、回転可能なベゼルを備えた時計に関する。
【背景技術】
【０００２】
従来、胴に回転可能に配置されたベゼルは、その回転操作に伴ってクリック感を与える構成により所望の操作位置に保持されるようになっている。そのための構成として、クリックボール式と板ばね式とが知られている。
【０００３】
クリックボール式は、ベゼルの裏面に、このベゼルの回転の方向に並んだ複数の凹凸からなる係合歯が形成されたクリック溝を設けるとともに、胴に、係合歯に係脱される鋼球、及びこの鋼球を係合歯に押付けるコイルばねを設けた構成を備えている。この構成では、ベゼルを時計回り及び反時計回りのいずれかの方向に任意に回転されると、鋼球が係合歯に押されてコイルばねが変形するので、ベゼルの回転が許容される。そして、ベゼルが一定角度回転するごとに、コイルばねの力でクリック溝の係合歯間に鋼球が入り込むので、その都度クリック感が与えられる。これとともに、ベゼルの回転力を消失させた時点の回転位置で、クリック溝の係合歯間へ鋼球が入り込むことにより、ベゼルを所望回転位置に保持できる（例えば、特許文献１参照。）。
【０００４】
又、板ばね方式は、ベゼルの裏面にこのベゼルの回転の方向に並んだ複数の凹凸からなるクリック溝を設けるとともに、胴に、クリック溝と対向する板ばねを装着し、この板ばねから切起こされた弾性部をクリック溝に係合させている。クリック溝の断面形状は、ベゼルの回転方向に対して直角方向のストッパー面を有し形状、つまり、長方形状もしくは直角三角形状をなしている。これにより、ベゼルが予め決められた一方向に回転される場合には、ベゼルが一定角度回転するごとに弾性部がクリック溝から外れつつクリック感を与えることができる。又、この逆方向にベゼルを回転させる場合には、ストッパー面に弾性部の先端が引っかかってベゼルが逆回転しないようにクリック溝に係合するようになっている（例えば、特許文献２参照。）。
【特許文献１】特開２００３−２７０３６５号公報（段落０００２−０００９、図３）
【特許文献２】実開平５−９２７７９号公報（段落０００７−００１０、図１−図３）
【発明の開示】
【発明が解決しようとする課題】
【０００５】
前記クリックボール式の従来例では、ベゼルを時計回り又は反時計回りのいずれの方向に回転できるが、所望回転位置へのベゼルの保持をコイルばねの力のみに依存しているので、ベゼルを所望回転位置に保持する信頼性が低い。そのため、時計の携帯時にベゼルに作用する外力によって、ベゼルが不用意に回転されることがある。
【０００６】
又、板ばね式の従来例では、ベゼルの回転が一方向のみに規制されているので、ベゼルが誤操作により所望の回転位置から少しずれて回転操作された場合には、ベゼルを逆回転させることができない。そのため、再度、ベゼルを略１回転させて所望回転位置に合わせなくてはならず、手間がかかる。それだけではなく、時計の携帯時にベゼルの回転が許容される方向に外力が作用した場合には、ベゼルが不用意に回転される恐れもある。
【０００７】
本発明の目的は、ベゼルの位置合わせが容易で、かつ、位置合わせされたベゼルが不用意に回転されないようにできる時計を提供することにある。
【課題を解決するための手段】
【０００８】
本発明は、上方及び外周面に開放する円環状のベゼル配置溝、及びこの配置溝の底面に開放して上下方向に延びる収容孔が形成された胴と、前記ベゼル配置溝に嵌合されて前記胴に対し時計回り及び反時計回りの双方向に回転可能に配置されるとともに、前記ベゼル配置溝の底面に対向する裏面に前記回転の方向に並んだ複数の凹凸からなる係合部が形成された円環状のベゼルと、前記収容孔に上下動自在に収容されて前記係合部に係脱するクリック部材と、前記収容孔に収容されて前記クリック部材を前記係合部に押付ける付勢体と、前記胴の外部からの操作で上下動可能に前記収容孔に収容され、前記係合部に前記クリック部材が係合した状態に前記クリック部材を保持する保持位置、及びこの保持を解除して前記クリック部材のクリック動作を許す退避位置にわたって移動されるロック部材と、を具備している。
【０００９】
本発明では、ロック部材を退避位置に移動させることにより、クリック部材の拘束が解除される。この解除状態ではベゼルを回転操作することが可能となる。ベゼルが回転された時、クリック部材は、ベゼルの係合部の凸と付勢体の力とで、係合部の凸の高さに略見合った分だけ上下動されてベゼルの係合部の凹みに係脱するクリック動作を営むので、その都度、クリック部材によってクリック感を与えることができる。これとともに、ベゼルの回転方向は一方向に限定されないので、ベゼルの回転が行き過ぎた場合には、ベゼルを、再度略一回転させる手間を要することなく逆回転操作して所定位置に容易に合わせることができる。
【００１０】
そして、ベゼルを位置合わせした後に、ロック部材を保持位置に移動させることにより、係合部の凹みに係合しているクリック部材がロック部材に当接若しくは接近して、クリック部材が係合部から外れることができない状態、つまり、クリック部材がロック状態に保持される。このロック状態は、人為的に解除しない限り維持されるので、時計の携帯中にベゼルにこれを回そうとする外力が作用することがあっても、位置合わせされたベゼルを不用意に回転されないように保持できる。
【００１１】
本発明の好ましい形態では、前記ロック部材を前記保持位置と前記退避位置にわたって移動させる手動操作式の操作部材を前記ロック部材に接続し、この操作部材を前記胴の外部から操作可能に設けている。
【００１２】
この発明の形態では、操作部材に使用者の指先を直接接触させて、この操作部材を操作することによりロック部材を移動できるので、何ら工具を要することがなく、簡便にロック部材を保持位置又は退避位置に選択的に移動させることができ、取扱い性に優れる。
【００１３】
本発明の好ましい形態では、前記収容孔を大径孔部とこの下方に連続した小径孔部とで形成し、前記胴の外周面に開放する凹溝を前記小径孔部と直交して前記胴に設け、中央部に雌ねじ部を有した円板状のダイヤルで前記操作部材を形成し、この操作部材の上下方向の移動を前記凹溝で規制するとともに前記胴の外部に前記操作部材の一部を突出させて前記凹溝に前記操作部材を回転可能に配置し、中央角孔を有した回り止め部材を前記大径孔部と小径孔部との境をなした段部に固定して前記大径孔部に収容し、前記ロック部材を、前記中央角孔を貫通して前記クリック部材に接離する角軸部と、この角軸部の下側に連続されて前記雌ねじ部に噛み合う雄ねじ部を有したねじ軸部とで形成している。
【００１４】
この発明の形態では、ロック部材が回り止め部材で回り止めされているので、ダイヤルからなる操作部材を回転操作すると、この操作部材の雌ねじ部とロック部材の雄ねじ部との噛み合いにより、操作部材の回転方向に応じてロック部材が上方向又は下方向に移動される。ロック部材を上方向（時計の正面方向）に移動させることで、このロック部材をロック位置に配置でき、この逆にロック部材を下方向（時計の裏面方向）に移動させることで、このロック部材を退避位置に配置できる。そして、操作部材は胴の外側面で操作できるので、工具を要することなく操作部材を手指で簡単に操作できる。したがって、この発明の形態によれば、ベゼルを正面に向けた状態で、ロック部材の上下動操作及びベゼルの回転操作を行うことができる。
【００１５】
本発明の好ましい形態では、前記クリック部材を、前記収容孔にガイドされる外周が円形の摺動部と、この摺動部の上側に一体に形成され係合部の凹みに嵌まる半球状部とで形成している。
【００１６】
この発明の形態では、クリック部材を胴の収容孔に摺動させてクリック部材の移動を安定させることができるとともに、クリック部材の半球状部をベゼルの係合部に係脱させるので、クリック感を与える際における係合部の凹凸に対するクリック部材の係脱動作が円滑である。
【００１７】
本発明の好ましい形態では、前記退避位置に前記ロック部材が移動された時にこのロック部材のそれ以上の移動を阻止するストッパーを前記胴に設けている。
【００１８】
この発明の形態では、ストッパーによりロック部材の移動が阻止されることで、ロック部材が退避位置に移動されたことを知覚させて、ベゼルを回転操作する時期を分からせることができる。
【発明の効果】
【００１９】
本発明によれば、クリック部材のロック状態を解除することで、ベゼルの位置合わせを容易に行えるとともに、クリック部材をロック状態とすることで、位置合わせされたベゼルを不用意に回転されないように保持することが可能な時計を提供できる。
【発明を実施するための最良の形態】
【００２０】
以下、図１〜図８を参照して本発明の一実施形態を説明する。
【００２１】
図１中符号１０は例えば腕に装着して使用される携帯時計を示している。この携帯時計１０が備える時計外装組立１１内には、表示針１２を駆動する時計ムーブメント１３（図３及び図４に示す）、この時計ムーブメント１３に取付けられた文字板１４、及び時計ムーブメント１３を時計外装組立１１に保持する枠状部材１５（図３及び図４に示す）等が収容されている。
【００２２】
時計外装組立１１は、図１〜図４に示すように好ましくは金属製で環状に作られた胴１６を備えており、この胴１６の厚み方向一面（正面）にカバーガラス１７を液密に装着するとともに、胴１６の厚み方向他面（裏面）に裏蓋１８を取外し可能に螺合して形成されている。カバーガラス１７を通して表示針１２及び文字板１４は視認可能である。なお、図３及び図４中符号１９は弾性を有するＯリング等の環状の防水パッキンを示している。
【００２３】
図３及び図４に示すように胴１６の正面（上面）側の端部には、正面方向に突出する環状凸部２１が一体に設けられているとともに、円環状のベゼル配置溝２２が設けられている。環状凸部２１の内周にカバーガラス１７がリング形のパッキン２０を介して装着されている。環状凸部２１の外周にその周方向に連続する環状の係合凸部２１ａがベゼル配置溝２２内に突出して設けられている。ベゼル配置溝２２は、上方及び胴１６の外周面に開放され、環状凸部２１を囲んでいる。ベゼル配置溝２２の底面２２ａは係合凸部２１ａより下側に位置して環状凸部２１の根元に直角に連なっている。
【００２４】
図１及び図２中符号２４は図示しない巻真を操作するための竜頭を示している。胴１６には図３及び図４に示すように収容孔２５及び凹溝２６が形成されている。これら収容孔２５及び凹溝２６は、図示しないバンドやベルトなどの腕装着部材が接続される４個の取付け凸部１６ａ〜１６ｄ（図１及び図２参照）の内で、竜頭２４に対して遠い方に位置した二個の取付け凸部１６ａ、１６ｃ間に位置して、例えば竜頭２４から略１８０°離れて設けられている。
【００２５】
図３及び図４に示すように収容孔２５は、胴１６の厚み方向、言い換えれば、上下方向に延びており、例えばいずれも円形をなす大径孔部２５ａと小径孔部２５ｂからなる。大径孔部２５ａの上端はベゼル配置溝２２の底面２２ａに開放されている。小径孔部２５ｂの上端は大径孔部２５ａの下端に連続していて、これら大径孔部２５ａと小径孔部２５ｂとの間には段部２５ｃが形成されている。小径孔部２５ｂの下端は胴１６の裏面に開放されていて、この下端部にはねじ溝が形成されている。
【００２６】
凹溝２６は、図２に示すように平面視例えば半円形状であって、図３及び図４に示すように小径孔部２５ｂに直交しているとともに、胴１６の外表面に開放されている。
【００２７】
時計外装組立１１は文字板１４を囲むように設けられたベゼル３１を備えている。ベゼル３１は、金属又は合成樹脂等により円環状に作られており、ベゼル配置溝２２に嵌合されて胴１６に対して時計回り及び反時計回りの双方向に回転可能に配置されている。ベゼル３１が有した環状の内周凸部３１ａは前記係合凸部２１ａにその下側から引っ掛かっており、それによりベゼル３１が外れないように保持されている。ベゼル３１は環状凸部２１の上端面と対向するカバー部３１ｂを有している。これとともに、ベゼル３１には、それを回転させる際に指が滑らないようにするための複数ないしは多数の凹凸３１ｃが外周面に設けられている。なお、図３及び図４中符号３２は圧縮状態で使用される弾性を有したＯリング等からなるベゼルパッキンであり、このベゼルパッキン３８によりベゼル３１のがたつきが防止されている。
【００２８】
ベゼル配置溝２２の底面２２ａに対向するベゼル３１の裏面には係合部３３が設けられている。この係合部３３はベゼル３１が回転する方向に例えば連続して並んだ複数の凹凸により形成されている。係合部３３をなす各凹凸はいずれもベゼル３１の中心に対する放射方向に延びている。これら凹凸の数は６０又は１２０である。係合部３３をベゼル３１の周方向に沿って断面した場合の係合部３３の下向きの凸の断面、及びベゼル３１の裏面に開放する係合部３３の凹みの断面は、いずれも略三角形状をなしている。
【００２９】
前記大径孔部２５ａには回り止め部材３５が収容されて段部２５ｃ上に固定されている。この固定は、接着剤等を用いて、或いは回り止め部材３５を大径孔部２５ａに圧入すること等で行われている。それにより、回り止め部材３５はそれ自体が大径孔部２５ａ内で自由回転しないように設けられている。図７（Ａ）（Ｂ）に示すように回り止め部材３５は、中央部に例えば四角形の中央角孔３５ａを有した座金で形成されている。
【００３０】
大径孔部２５ａには中央部に上下方向に貫通する内空部を有した付勢体として例えばコイルばね３７が収容されている。このコイルばね３７の下端は回り止め部材３５で支持されている。コイルばね３７はその上端に例えば金属製のクリック部材３９を支持している。図８（Ａ）（Ｂ）に示すようにクリック部材３９は、その下部をなす摺動部３９ａと、上部をなす半球状部３９ｂとからなる。摺動部３９ａの外周は円形である。摺動部３９ａにはその下面（裏面）に開放した受入れ凹部３９ｃが形成されている。半球状部３９ｂは係合部３３の凹みに嵌まる大きさに形成されている。
【００３１】
クリック部材３９の摺動部３９ａは、大径孔部２５ａにガイドされるように、この大径孔部２５ａの上部に上下動自在に収容されている。クリック部材３９の半球状部３９ｂは大径孔部２５ａから突出されている。このクリック部材３９の取付けに伴ってコイルばね３７は圧縮状態に保持され、それにより、コイルばね３７はクリック部材３９を上向きに付勢して係合部３３に押付けている。
【００３２】
胴１６には、ベゼル３１の回転操作時以外はクリック部材３９を動かないように保持し、ベゼル３１の回転操作時にはクリック部材３９の動きを許すロック機構４１が取付けられている。ロック機構４１は、ロック部材４２と、このロック部材４２に接続された操作部材４３とからなる。
【００３３】
ロック部材４２は収容孔２５に上下動可能に収容されている。ロック部材４２は、角軸部４２ａと、この角軸部４２ａの下側に一体に連続されたねじ軸部４２ｂとからなる。図５（Ａ）（Ｂ）に示すように角軸部４２ａは、回り止め部材３５の中央角孔３５ａと同形状であって、中央角孔３５ａに貫通されるとともにコイルばね３７の内空部に挿入されていて、その先端(上端)はクリック部材３９の受入れ凹部３９ｃに挿脱されるようなっている。ねじ軸部４２ｂはその上下両端部が円柱形状で、これら両端部間の部位の外周に雄ねじ部４２ｃを有している。したがって、雄ねじ部４２ｃの外径に比較してねじ軸部４２ｂの上下両端部は細く、又、この上下両端部は角軸部４２ａより太く形成されている。
【００３４】
図６（Ａ）（Ｂ）に示すように操作部材４３は円板状のダイヤルからなる。操作部材４３は、その中央部に雌ねじ部４３ａを有しているとともに、外周面は、この操作部材４３を手動で回転させる際に手指が滑ることを抑制するためのローレット加工が施されたローレット加工面となっている。
【００３５】
操作部材４３はその一部を胴１６の外周面から突出させて前記凹溝２６に回転可能に収容されている。この収容状態では凹溝２６の上下の溝側面により操作部材４３の上下方向の移動が規制されている。この操作部材４３の雌ねじ部４３ａがロック部材４２の雄ねじ部４２ｃに噛合わされて、操作部材４３の中央部にロック部材４２が通されている。
【００３６】
収容孔２５の小径孔部２５ｂには、胴１６の裏面から取外し可能なストッパー４５がねじ込まれている。このストッパー４５によって収容孔２５が閉じられている。
【００３７】
次に、ロック機構４１まわりを組立てる手順を説明する。まず、ストッパー４５を胴１６にねじ込んで収容孔２５の下端部を閉じる。次に、胴１６の凹溝２６に操作部材４３を収容した後に、ロック部材４２のねじ軸部４２ｂを先頭にして収容孔２５の上方からロック部材４２を収容孔２５に収容するとともに、このロック部材４２のねじ軸部４２ｂを操作部材４３の雌ねじ部４３ａに螺合させる。これにより、ロック部材４２が操作部材４３に支持されるとともに、操作部材４３が凹溝２６から外れないようになる。
【００３８】
この後、回り止め部材３５の中央角孔３５ａをロック部材４２の角軸部４２ａに嵌合させながら、この回り止め部材３５を収容孔２５の大径孔部２５ａに収容して、この回り止め部材３５を段部２５ｃ上に固定する。これにより、回り止め部材３５によってロック部材４２が回り止めされる。次に、ロック部材４２が収容孔２５に沈み込む方向に操作部材４３を回転させることにより、ロック部材４２を下降させて、このロック部材４２の下端をストッパー４５に当てる。この状態でも角軸部４２ａは回り止め部材３５の中央角孔３５ａを貫通している。この後、大径孔部２５ａにコイルばね３７を収容してから、このコイルばね３７上に載置されるようにクリック部材３９を大径孔部２５ａに配置する。
【００３９】
次に、ベゼルパッキン３２がすでに取付けられているベゼル３１を胴１６のベゼル配置溝２２に嵌合して、このベゼル３１の内周凸部３１ａを胴１６の係合凸部２１ａに引っ掛ける。それにより、ベゼル３１が胴１６に対して回転可能に配置される。このベゼル３１の取付けに伴い、クリック部材３９を介してコイルばね３７が圧縮状態に変形される。そのため、コイルばね３７の付勢力でクリック部材３９はベゼル３１の係合部３３に押付けられる。
【００４０】
最後に、ベゼル３１の回転とそれに伴うクリック感が適正に得られていることを確認した後に、操作部材４３を前記と逆方向に回転させて、ロック部材４２をベゼル３１方向に上昇させる。それにより、ロック部材４２の角軸部４２ａの上端部が、好ましい例としてクリック部材３９の受入れ凹部３９ｃに入り込んでクリック部材３９に当り、このクリック部材３９がベゼル３１とロック部材４２の間に挟持される。
【００４１】
以上の組立完了状態を図３に示す。前記組立ての手順によれば、ロック部材４２を、一旦、ストッパー４５で位置決めした退避状態でベゼル３１の組付けを行うので、クリック部材３９を介してロック部材４２にベゼル３１の組付け力が作用することがない。このため、角軸部４２ａや雌ねじ部４３ａ及び雄ねじ部４２ｃの噛み合い部が過大な力を受けて変形する等の不具合を招くことがないとともに、コイルばね３７を圧縮する方向に弾性変形させて組立てることができる。
【００４２】
図３に示した組立完了状態からベゼル３１を回転操作する場合には、以下の手順で行えばよい。
【００４３】
まず、操作部材４３を回転操作して、雌ねじ部４３ａ及び雄ねじ部４２ｃの噛み合いを介してロック部材４２を下降させる。この場合、ロック部材４２の下端がストッパー４５に当たるまでロック部材４２を下降させる。こうしてロック部材４２の移動がストッパー４５で阻止されることにより、ロック部材４２が退避位置に移動されたことを知覚できる。言い換えれば、ロック機構４１がロック解除の状態になって、ベゼル３１の回転が許されるようになったことを知覚できる。これにより、操作部材４３の回転操作を終了する時期とともに、ベゼル３１の回転操作が可能となった時期を知ることができる。
【００４４】
この後、ベゼル３１を所望角度回転操作させる。それにより、ベゼル３１の裏面の係合部３３と胴１６に支持されているクリック部材３９と相対位置が変わるに伴って、クリック部材３９が係合部３３の下向きの凸でコイルばね３７に抗して押し下げられた後に、この凸に隣接した係合部３３の凹みにクリック部材３９がコイルばね３７の力で入り込んだ係合状態となる。そのため、ベゼル３１が一定角度回転するたびにクリック感が得られる。そして、ベゼル３１の回転操作を停止した時点で、クリック部材３９が係合部３３の凹みに入り込んだ係合状態となるので、ベゼル３１は所望の回転位置に静止される。
【００４５】
以上のクリック動作の場合に、クリック部材３９の摺動部３９ａが胴１６の収容孔２５の大径孔部２５ａにガイドされるので、クリック部材３９の上下動を安定させることができる。これとともに、クリック部材３９の半球状部３９ｂがベゼル３１の係合部３３の凹みに係脱するので、クリック感を与える際、係合部３３の凹凸にクリック部材３９が引っ掛かってベゼル３１の回転操作に支障をきたす恐れがなく、ベゼル３１に対してクリック部材３９が係脱するクリック動作が円滑に行われる。
【００４６】
又、既述のようにベゼル３１の回転に伴いクリック部材３９がコイルばね３７に抗して下降することにより、クリック部材３９の上端に対する係合部３３の下向きの凸の通過が許される。そのため、クリック部材３９がベゼル３１の時計回り又は反時計回りの回転を妨げるものではなく、ベゼル３１はいずれの方向に回転できる。したがって、一方向の回転により、所望回転位置より多少行き過ぎた誤操作をした場合には、その位置から前記行き過ぎ量に応じてベゼル３１を逆回転させて、このベゼル３１が所望回転位置で静止するように容易に修正することができる。
【００４７】
ベゼル３１が所望角度回転操作された後に、再び操作部材４３を前記ロック解除の場合とは逆方向に回転操作して、雌ねじ部４３ａ及び雄ねじ部４２ｃの噛み合いを介してロック部材４２を上昇させる。それにより、ロック部材４２がコイルばね３７を軸方向に貫通して、このロック部材４２の上端がクリック部材３９の裏面、具体的には受入れ凹部３９ｃに突き当たる。したがって、クリック部材３９がロック部材４２で押上げられてこのロック部材４２とベゼル３１の係合部３３との間に挟まれるので、ロック部材４２の上昇が阻止されてこのロック部材４２がロック位置に移動されたことを知覚できるとともに、操作部材４３の回転操作を終了する時期を知ることができる。
【００４８】
この状態では、図４に示すようにロック機構４１のロック部材４２がストッパーとなってクリック部材３９が下方に動くことが阻止されている。そのため、この時点以降において、携帯時計１０を携帯するに伴い、ベゼル３１にこれを回転しようとする外力が作用しても、所望回転位置に位置合わせされたベゼル３１が不用意に回転されないように保持できる。
【００４９】
又、既述のようにロック機構４１の操作部材４３は、その一部を胴１６の外周面に突出させたダイヤルからなっているから、胴１６の外側面において工具を要することなく操作部材４３を手指で簡単に操作できる。そのため、携帯時計１０を表裏反転して持ち替える面倒な手間を要することなく、ベゼル３１を正面に向けた状態で携帯時計１０を持って、ロック機構４１の操作及びベゼル３１の回転操作を行うことができるから、操作性がよい。
【００５０】
前記一実施形態では、中央角孔３５ａを有した回り止め部材３５を用いて軸からなるロック部材４２の回転規制をしたので、収容孔２５を丸孔で形成でき、しかも、収容孔２５をなす大径孔部２５ａと小径孔部２５ｂとは直接連続しているので、胴１６に収容孔２５を形成する孔加工を容易にできる。
【００５１】
なお、小径孔部２５ｂの内面に周方向に１８０度隔てて軸方向に延びるスロットを形成するとともに、これらスロットに摺動可能に嵌合される一対の摺動凸部をロック部材４２の外周面に雄ねじ部４２ｃを避けて設けて、ロック部材４２の回転規制をすることもできる。この場合、ロック部材４２の角軸部相当部は丸軸部とすることができるので、ロック部材４２の加工が簡単になる他、回り止め部材を省略して、段部２５ｃでコイルばね３７の下端を受けることができる。又、回り止め部材に代えてばね受けを段部２５ｃ上に設ける場合にも、丸孔からなる中央通孔を有した低コストの座金を用いれば済むとともに、この座金を段部２５ｃに固定することも要さないので、組立てが容易になる。
【００５２】
前記一実施形態では、ストッパー４５を胴１６にねじ込まれる栓で形成したので、胴１６の裏側から収容孔２５に塵埃などが入り難い。なお、収容孔２５を貫通孔ではなく胴１６と一体の裏面部を底とする孔とすることによって、前記裏面部をストッパー４５としてもよい。しかし、ねじ込み式のストッパー４５は必要に応じて外すことができるので、例えば、収容孔２５に水が浸入した場合に、ストッパー４５を外して浸入した水を収容孔２５から排出できるとともに、このロック機構４１等の乾燥を促進することができる点で好ましい。
【００５３】
前記一実施形態では、ベゼル３１の裏面をこの裏面と対向するベゼル配置溝２２の底面２２ａとの間に僅かな隙間を設けたが、この隙間を消失させるように前記裏面と底面２２ａとを接触させることもできる。又、ベゼル３１は、ベゼルパッキン３２が取付けられるとともに裏面に係合部３３を有したベゼル本体と、この本体とは別に成形されてベゼル本体にかしめ止めなどに連結されるカバー部３１ｂとで形成することもできる。
【００５４】
又、クリック部材３９をロックする構成は前記一実施形態には制約されない。例えば、貫通孔からなる収容孔２５の少なくとも一部に雌ねじ部を形成し、これに螺合する雄ねじ部を有した軸からなるロック部材を胴１６の裏側からねじ込み、このロック部材を例えば工具を用いて回転させることにより軸方向に進退させ、それにより、ロック部材をロック位置と退避位置にわたって移動させる構成をロック手段として採用することもできる。
【００５５】
なお、ベゼルはその回転が一定角度に制限されるものであってもよい。
【図面の簡単な説明】
【００５６】
【図１】本発明の一実施形態に係る携帯時計を示す正面図。
【図２】図１の携帯時計を示す裏面図。
【図３】図１の携帯時計が備えるベゼルの回転がロックされた状態を図１中Ｆ−Ｆ線に沿って示す断面図。
【図４】図１の携帯時計が備えるベゼルの回転のロックが解除された状態を図１中Ｆ−Ｆ線に沿って示す断面図。
【図５】（Ａ）は図１の携帯時計が備えるロック部材を示す平面図。（Ｂ）は同ロック部材を示す側面図。
【図６】（Ａ）は図１の携帯時計が備える操作部材を示す平面図。（Ｂ）は同操作部材を一部断面して示す側面図。
【図７】（Ａ）は図１の携帯時計が備える回り止め部材を示す平面図。（Ｂ）は同回り止め部材を示す側面図。
【図８】（Ａ）は図１の携帯時計が備えるクリック部材を示す平面図。（Ｂ）は同クリック部材を示す側面図。
【符号の説明】
【００５７】
１０…携帯時計（時計）
１１…時計外装組立
１６…胴
２１…環状凸部
２２…ベゼル配置溝
２２ａ…ベゼル配置溝の底面
２５…収容孔
２５ａ…収容孔の大径孔部
２５ｂ…収容孔の小径孔部
２５ｃ…段部
２６…凹溝
３１……ベゼル
３３…係合部
３５…回り止め部材
３５ａ…中央角孔
３７…コイルばね(付勢体)
３９…クリック部材
３９ａ…クリック部材の摺動部
３９ｂ…クリック部材の半球状部
４１…ロック機構
４２…ロック部材
４２ａ…ロック部材の角軸部
４２ｂ…ロック部材のねじ軸部
４２ｃ…ロック部材の雄ねじ部
４３…操作部材
４３ａ…操作部材の雌ねじ部
４５…ストッパー
【図１】
2008076067.tif 000003
【図２】
2008076067.tif 000004
【図３】
2008076067.tif 000005
【図４】
2008076067.tif 000006
【図５】
2008076067.tif 000007
【図６】
2008076067.tif 000008
【図７】
2008076067.tif 000009
【図８】
2008076067.tif 000010